(57)【特許請求の範囲】
【請求項１】
電気回路基板に設けられたスルーホールに押し込まれて該電気回路基板に電子部品を保持する保持部材であって、
前記電子部品に固定される板状の基部と、
前記基部から互いにほぼ同じ向きに延び、前記スルーホールの内面に接触しながら該スルーホールに押し込まれる一対の脚部とを備え、
前記一対の脚部が、それぞれの先端部分に、互いに近づく向きに延び、前記基部の幅方向に対し互いに逆方向に斜めに向いた斜面を有し、当該一対の脚部が前記スルーホールの内面に接触しながら該スルーホールに押し込まれる過程で該一対の脚部の前記斜面どうしが接触し互いに押し合って少なくとも一方の脚部の先端が該斜面に沿って斜めに進み、該少なくとも一方の脚部の先端が前記スルーホールを貫通し前記基部の板厚方向に該スルーホールよりも突出して該スルーホールの縁に係止されるものであること特徴とする保持部材。
【請求項２】
前記一対の脚部が左右対称であって、該一対の脚部の双方の先端が、前記スルーホールに押し込まれたときに前記基部の板厚方向に該スルーホールよりも突出して該スルーホールの縁に係止されるものであることを特徴とする請求項１記載の保持部材。
【請求項３】
前記一対の脚部が、それぞれの、前記基部寄りの部分に、一部が切り欠かれて狭幅に形成され、前記斜面どうしが接触し互いに押し合って斜めに進むときの捩れを受けて塑性変形する狭幅部を有するものであることを特徴とする請求項２記載の保持部材。
【請求項４】
前記一対の脚部が前記スルーホールに押し込まれたときに該一対の脚部のうちの一方の脚部のみ、該一方の脚部の先端が、前記基部の板厚方向に該スルーホールよりも突出して該スルーホールの縁に係止されるものであって、
前記一方の脚部が、前記基部寄りの部分に、一部が切り欠かれて狭幅に形成され、前記斜面どうしが接触し互いに押し合って斜めに進むときの捩れを受けて塑性変形する狭幅部を有するものであることを特徴とする請求項１記載の保持部材。
【請求項５】
当該保持部材は、表面が溶融はんだによって濡れる金属製であることを特徴とする請求項１から４のうちいずれか１項記載の保持部材。
【請求項６】
長孔のスルーホールが設けられた電気回路基板と、
前記スルーホールに押し込まれた脚部を有し、前記電気回路基板に電子部品を保持させる保持部材と、
前記脚部が押し込まれた状態の前記スルーホールを埋めて前記電気回路基板に前記保持部材を固定するはんだとを備えた実装構造であって、
前記保持部材は、
前記電子部品に固定される板状の基部と、
前記基部から互いにほぼ同じ向きに延び、前記スルーホールの長手方向両端の内面に接触しながら該スルーホールに押し込まれる一対の脚部とを備えたものであり、
前記一対の脚部が、それぞれの先端部分に、互いに近づく向きに延び、前記基部の幅方向に対し互いに逆方向に斜めに向いた斜面を有し、当該一対の脚部が前記スルーホールの内面に接触しながら該スルーホールに押し込まれる過程で該一対の脚部の前記斜面どうしが接触し互いに押し合って少なくとも一方の脚部の先端が該斜面に沿って斜めに進み、該少なくとも一方の脚部の先端が前記スルーホールを貫通し前記基部の板厚方向に該スルーホールよりも突出して該スルーホールの縁に係止されるものであること特徴とする実装構造。
【請求項７】
長孔のスルーホールが設けられた電気回路基板に保持される電子部品であって、
前記スルーホールに押し込まれる脚部を有し、前記電気回路基板に前記電子部品を保持させる保持部材を備え、
前記保持部材は、
前記電子部品に固定される板状の基部と、
前記基部から互いにほぼ同じ向きに延び、前記スルーホールの長手方向両端の内面に接触しながら該スルーホールに押し込まれる一対の脚部とを備えたものであり、
前記一対の脚部が、それぞれの先端部分に、互いに近づく向きに延び、前記基部の幅方向に対し互いに逆方向に斜めに向いた斜面を有し、当該一対の脚部が前記スルーホールの内面に接触しながら該スルーホールに押し込まれる過程で該一対の脚部の前記斜面どうしが接触し互いに押し合って少なくとも一方の脚部の先端が該斜面に沿って斜めに進み、該少なくとも一方の脚部の先端が前記スルーホールを貫通し前記基部の板厚方向に該スルーホールよりも突出して該スルーホールの縁に係止されるものであること特徴とする電子部品。
【発明の詳細な説明】
【技術分野】
【０００１】
本発明は、電気回路基板に設けられたスルーホールに押し込まれて電気回路基板に電子部品を保持する保持部材、このような保持部材が電気回路基板に実装された実装構造、およびこのような保持部材を備えた電子部品に関する。
【背景技術】
【０００２】
従来より、例えばコネクタのような電子部品を電気回路基板に実装する技術として、電子部品に取り付けた保持部材を電気回路基板に形成されたスルーホールに押し込むことによって電気回路基板に電子部品を保持する技術が知られている。また、電子部品を電気回路基板に強固に固定するために、保持部材は、電気回路基板にはんだ付けされる場合がある。
【０００３】
このような保持部材として、例えば、コネクタに固定される板状の基部からほぼ同じ向きに延び、板厚方向に弾性変位可能な広幅のばね片を有する、互いに対向する一対の脚部と、この一対の第１脚部どうしの間に一対の第１脚部と同一方向に延びる第２脚部とを備えた保持部材が提案されている（例えば、特許文献１参照。）。この保持部材によれば、はんだフロー工程で溶融はんだが第２脚部を伝ってスルーホール内に上昇し易く、はんだ付け後において、電気回路基板へのコネクタの取付け強度が高い。また、この保持部材は、スルーホールに押し込まれたときに、一対の脚部が板厚方向に弾性変形する。そして、この保持部材は、スルーホールに押し込まれただけでまだはんだ付けされていない状態で、一対の脚部の外面がスルーホール内面に面接触することによって電気回路基板から脱落しないよう保持される。また、この保持部材は、スルーホールへの挿入（抜去）時にスルーホール内面を損傷しないという長所を有する。ところが、この保持部材は、脚部の弾性（ばね定数）を大きくすることが困難であるという短所をも有する。従って、この保持部材は、スルーホールに押し込まれただけでまだはんだ付けされていない状態における保持力が小さい。そのため、例えば、その状態でコネクタをロボットで掴んで移動させるハンドリング時や、その状態でこの保持部材が強く引っ張られたときなどに、保持部材の脚部がスルーホールから抜けてしまうおそれがある。
【特許文献１】特開２００７−１２８７７２号公報
【発明の開示】
【発明が解決しようとする課題】
【０００４】
本発明は、上記事情に鑑み、電気回路基板表面を損傷することなく、スルーホールに押し込まれただけでまだはんだ付けされていない状態で脚部がスルーホールから抜けてしまうことを防止した保持部材、このような保持部材が電気回路基板に実装された実装構造、およびこのような保持部材を備えた電子部品を提供することを目的とするものである。
【課題を解決するための手段】
【０００５】
上記目的を達成する本発明の保持部材は、
電気回路基板に設けられたスルーホールに押し込まれてその電気回路基板に電子部品を保持する保持部材であって、
上記電子部品に固定される板状の基部と、
上記基部から互いにほぼ同じ向きに延び、上記スルーホールの内面に接触しながらこのスルーホールに押し込まれる一対の脚部とを備え、
上記一対の脚部が、それぞれの先端部分に、互いに近づく向きに延び、上記基部の幅方向に対し互いに逆方向に斜めに向いた斜面を有し、当該一対の脚部が上記スルーホールの内面に接触しながらこのスルーホールに押し込まれる過程でその一対の脚部の上記斜面どうしが接触し互いに押し合って少なくとも一方の脚部の先端がその斜面に沿って斜めに進み、その少なくとも一方の脚部の先端が上記スルーホールを貫通し上記基部の板厚方向にこのスルーホールよりも突出してこのスルーホールの縁に係止されるものであること特徴とする。
【０００６】
本発明の保持部材は、スルーホールに押し込まれる一対の脚部が、それぞれの先端部分に斜面を有している。この斜面は、互いに近づく向きに延び、基部の幅方向に対し互いに逆方向に斜めに向いたものである。そのため、一対の脚部がスルーホールの内面に接触しながら押し込まれる過程で、その斜面どうしが接触し互いに押し合って少なくとも一方の脚部の先端がその斜面に沿って斜めに進む。そして、その少なくとも一方の脚部の先端がスルーホールを貫通し基部の板厚方向にスルーホールよりも突出してスルーホールの縁に係止される。従って、本発明の保持部材によれば、電気回路基板表面を損傷することなく、スルーホールに押し込まれただけでまだはんだ付けされていない状態で、スルーホールの縁に係止される脚部の先端によって電気回路基板に保持され、一対の脚部がスルーホールから抜けてしまうことが防止される。
【０００７】
また、本発明の保持部材によれば、スルーホールの縁に係止される脚部の先端によって基部の板厚方向のぐらつきが抑制される。また、一対の脚部がスルーホールの内面に接触していることから、基部の幅方向のぐらつきも抑制される。
【０００８】
さらに、本発明の保持部材によれば、押し込まれる一対の脚部によってスルーホール内がほぼ埋められることとなるため、はんだフロー工程で溶融はんだが一対の脚部を伝ってスルーホール内に上昇し易い。また、スルーホール内の隙間にはんだが充填されるので、はんだ付け後の取付け強度は、従来の保持部材の取付け強度よりも高い。
【０００９】
ここで、本発明の保持部材は、上記一対の脚部が左右対称であって、この一対の脚部の双方の先端が、上記スルーホールに押し込まれたときに上記基部の板厚方向にこのスルーホールよりも突出してこのスルーホールの縁に係止されるものであることが好ましい。
【００１０】
このような好ましい形態によれば、スルーホールに押し込まれただけでまだはんだ付けされていない状態で、スルーホールの縁に係止される双方の脚部の先端によって電気回路基板から脱落しないよう保持される。
【００１１】
また、本発明の保持部材のうちの上記一対の脚部の双方の先端がスルーホールの縁に係止される保持部材は、上記一対の脚部が、それぞれの、上記基部寄りの部分に、一部が切り欠かれて狭幅に形成され、上記斜面どうしが接触し互いに押し合って斜めに進むときの捩れを受けて塑性変形する狭幅部を有するものであることがさらに好ましい。
【００１２】
このような好ましい形態によれば、一部が切り欠かれて狭幅に形成された狭幅部が塑性変形することによって、スルーホールに押し込まれただけでまだはんだ付けされていない状態で、一対の脚部の双方の先端がスルーホールの縁に確実に係止される。また、斜面どうしが接触し互いに押し合って斜めに進む、一対の脚部がスルーホールの内面に接触しながら押し込まれる過程で、このような狭幅部を有さない場合に比してその内面が一対の脚部から受ける力が小さく、その内面が損傷されにくい。
【００１３】
また、本発明の保持部材は、
「上記一対の脚部が上記スルーホールに押し込まれたときにその一対の脚部のうちの一方の脚部のみ、この一方の脚部の先端が、上記基部の板厚方向にこのスルーホールよりも突出してこのスルーホールの縁に係止されるものであって、
上記一方の脚部が、上記基部寄りの部分に、一部が切り欠かれて狭幅に形成され、上記斜面どうしが接触し互いに押し合って斜めに進むときの捩れを受けて塑性変形する狭幅部を有するものである」
ことも好ましい形態である。
【００１４】
このような好ましい形態は、例えば、スルーホールが電気回路基板の端部近傍に設けられかつその端部に筐体が迫っており、一対の脚部のうちの一方の脚部の先端しか基部の板厚方向にスルーホールよりも突出させることができない場合などに有効である。また、このような好ましい形態によれば、一部が切り欠かれて狭幅に形成された狭幅部が塑性変形することによって、スルーホールに押し込まれただけでまだはんだ付けされていない状態で、一方の先端がスルーホールの縁に確実に係止される。また、斜面どうしが接触し互いに押し合って斜めに進む、一対の脚部がスルーホールの内面に接触しながら押し込まれる過程で、このような狭幅部を有さない場合に比してその内面が一対の脚部から受ける力が小さく、その内面が損傷されにくい。
【００１５】
さらに、本発明の保持部材は、当該保持部材は、表面が溶融はんだによって濡れる金属製であることが好ましい。
【００１６】
このような好ましい形態によれば、はんだフロー工程で、溶融はんだが、スルーホール内に上昇し易い。
【００１７】
また、上記目的を達成する本発明の実装構造は、
長孔のスルーホールが設けられた電気回路基板と、
上記スルーホールに押し込まれた脚部を有し、上記電気回路基板に電子部品を保持させる保持部材と、
上記脚部が押し込まれた状態の上記スルーホールを埋めて上記電気回路基板に上記保持部材を固定するはんだとを備えた実装構造であって、
上記保持部材は、
上記電子部品に固定される板状の基部と、
上記基部から互いにほぼ同じ向きに延び、上記スルーホールの長手方向両端の内面に接触しながらこのスルーホールに押し込まれる一対の脚部とを備えたものであり、
上記一対の脚部が、それぞれの先端部分に、互いに近づく向きに延び、上記基部の幅方向に対し互いに逆方向に斜めに向いた斜面を有し、当該一対の脚部が上記スルーホールの内面に接触しながらこのスルーホールに押し込まれる過程でその一対の脚部の上記斜面どうしが接触し互いに押し合って少なくとも一方の脚部の先端がその斜面に沿って斜めに進み、その少なくとも一方の脚部の先端が上記スルーホールを貫通し上記基部の板厚方向にこのスルーホールよりも突出してこのスルーホールの縁に係止されるものであること特徴とする。
【００１８】
ここで、本発明にいう電気回路基板にに設けられた「長孔のスルーホール」とは、例えば「楕円形のスルーホール」や「直線部を有する長円形のスルーホール」や「隅を丸めた長方形のスルーホール」や「卵型のスルーホール」など、「扁平形状のスルーホール」であればよく、いずれも含むものである。
【００１９】
本発明の実装構造は、本発明の保持部材を有する実装構造であるため、その保持部材の利点と同様に、保持部材を電気回路基板にはんだ付けして実装するにあたって、電気回路基板表面を損傷することなく、スルーホールに押し込まれただけでまだはんだ付けされていない状態で、スルーホールの縁に係止される脚部の先端によって電気回路基板に保持され、一対の脚部がスルーホールから抜けてしまうことが防止される。また、保持部材を電気回路基板にはんだ付けして実装するにあたって、スルーホールの縁に係止される脚部の先端によって基部の板厚方向のぐらつきが抑制される。また、保持部材を電気回路基板にはんだ付けして実装するにあたって、一対の脚部がスルーホールの内面に接触していることから、基部の幅方向のぐらつきも抑制される。さらに、保持部材を電気回路基板にはんだ付けして実装するにあたって、押し込まれる一対の脚部によってスルーホール内がほぼ埋められることとなるため、はんだフロー工程で溶融はんだが一対の脚部を伝ってスルーホール内に上昇し易く、電気回路基板と、保持部材の一対の脚部とが、スルーホール内を含む広い範囲で相互にはんだ付けされて、電気回路基板への電子部品の取付け強度が高い。
【００２０】
また、上記目的を達成する本発明の電子部品は、
長孔のスルーホールが設けられた電気回路基板に保持される電子部品であって、
上記スルーホールに押し込まれる脚部を有し、上記電気回路基板に上記電子部品を保持させる保持部材を備え、
上記保持部材は、
上記電子部品に固定される板状の基部と、
上記基部から互いにほぼ同じ向きに延び、上記スルーホールの長手方向両端の内面に接触しながらこのスルーホールに押し込まれる一対の脚部とを備えたものであり、
上記一対の脚部が、それぞれの先端部分に、互いに近づく向きに延び、上記基部の幅方向に対し互いに逆方向に斜めに向いた斜面を有し、当該一対の脚部が上記スルーホールの内面に接触しながらこのスルーホールに押し込まれる過程でその一対の脚部の上記斜面どうしが接触し互いに押し合って少なくとも一方の脚部の先端がその斜面に沿って斜めに進み、その少なくとも一方の脚部の先端が上記スルーホールを貫通し上記基部の板厚方向にこのスルーホールよりも突出してこのスルーホールの縁に係止されるものであること特徴とする。
【００２１】
ここで、本発明にいう電気回路基板に設けられた「長孔のスルーホール」とは、例えば「楕円形のスルーホール」や「直線部を有する長円形のスルーホール」や「隅を丸めた長方形のスルーホール」や「卵型のスルーホール」や「長方形のスルーホール」など、「扁平形状のスルーホール」であればよく、いずれも含むものである。
【００２２】
本発明の電子部品は、本発明の保持部材を有する電子部品であるため、その保持部材の利点と同様に、電気回路基板表面を損傷することなく、スルーホールに押し込まれただけでまだはんだ付けされていない状態で、スルーホールの縁に係止される脚部の先端によって電気回路基板に保持され、一対の脚部がスルーホールから抜けてしまうことが防止される。また、スルーホールの縁に係止される脚部の先端によって基部の板厚方向のぐらつきが抑制される。また、一対の脚部がスルーホールの内面に接触していることから、基部の幅方向のぐらつきも抑制される。さらに、押し込まれる一対の脚部によってスルーホール内がほぼ埋められることとなるため、はんだフロー工程で溶融はんだが一対の脚部を伝ってスルーホール内に上昇し易く、はんだ付け後において、電気回路基板への電子部品の取付け強度が高い。
【発明の効果】
【００２３】
本発明によれば、電気回路基板表面を損傷することなく、スルーホールに押し込まれただけでまだはんだ付けされていない状態で脚部がスルーホールから抜けてしまうことを防止した保持部材、このような保持部材が電気回路基板に実装された実装構造、およびこのような保持部材を備えた電子部品が提供される。
【発明を実施するための最良の形態】
【００２４】
以下、図面を参照して本発明の実施の形態を説明する。
【００２５】
図１および図２は、本発明の保持部材についての一実施形態を示す外観図である。図１は、保持部材１を斜め上から見た斜視図である。また、図２において、（ａ）は正面図、（ｂ）は底面図である。
【００２６】
また、図３〜図５は、保持部材１が電気回路基板５０に設けられたスルーホール５１に押し込まれる過程を示す図である。図３〜図５において、図３（ａ），図４（ａ），図５（ａ）は正面図、図３（ｂ），図４（ｂ），図５（ｂ）は底面図である。
【００２７】
電気回路基板５０には、あらかじめ、細長い（扁平な）開口を有するスルーホール５１が形成されており、スルーホール５１の内面およびスルーホール５１近傍の電気回路基板５０上には、図示しない銅めっき層が形成されている。電気回路基板５０の典型的な厚さは、１．２ｍｍ〜１．６ｍｍである。尚、スルーホール５１は長孔であればよく、例えば「楕円形のスルーホール」や「直線部を有する長円形のスルーホール」や「隅を丸めた長方形のスルーホール」や「卵型のスルーホール」や「長方形のスルーホール」など、「扁平形状のスルーホール」であればよい。
【００２８】
保持部材１は、電気回路基板５０に設けられたスルーホール５１に実装面５０ａ側から押し込まれて電気回路基板５０にコネクタを保持するものである。保持部材１は、銅合金、例えば真ちゅう製の板が、打抜き、印圧及び曲げ加工されることにより形成されている。また、保持部材１には、表面が溶融はんだによって濡れるように、例えば錫めっき処理が施されている。尚、保持部材１のめっき処理は、錫めっき処理に限らず、例えばはんだめっき処理や金めっき処理などでもよい。保持部材１は、基部１０と、一対の脚部２０（２０ａ，２０ｂ）とから構成されている。
【００２９】
基部１０は、矩形状の一辺から下向きに突出した突出部１６を有する。基部１０の側縁１１には、突起１２が設けられている。基部１０は、コネクタの絶縁ハウジングの側面に設けられた溝に圧入されて固定される。突起１２は抜止めのためのものである。また、基部１０の上端の折曲部１４には、突起１５が設けられている。この突起１５も、突起１２と同様に抜止めのためのものであって、コネクタの絶縁ハウジングへの取付け方に応じて、突起１２と突起１５のいずれを用いても良い。また、基部１０には、曲げモーメントに対する強度を高めるためのリブ１３が、印圧加工により形成されている。基部１０のうちの、矩形状の一辺から下向きに突出した突出部１６からは、一対の脚部２０（２０ａ，２０ｂ）が、互いにほぼ同じ向きに延びている。
【００３０】
一対の脚部２０は、電気回路基板５０に設けられたスルーホール５１に、スルーホール５１の長手方向両端の内面に接触しながら押し込まれる部分である。一対の脚部２０のうち、一方の脚部２０ａは、突出部１６の一端側から細長く延びる板が曲げ形成されたものである。一方の脚部２０ａは、突出部１６から延びる過渡部２１ａと、過渡部２１ａから連続して延びる嵌入部２２ａとから構成されている。嵌入部２２ａは、スルーホール５１に押し込まれる部分である。過渡部２１ａは、さらに、突出部１６からＵ字状に折り返されて延び、電気回路基板５０の実装面５０ａ（図３参照）、および突出部１６の双方にほぼ平行である。嵌入部２２ａは、過渡部２１ａから下方に向かってほぼ直角に曲げられて延び、突出部１６および実装面５０ａ（図３参照）の双方にほぼ垂直である。また、過渡部２１ａと嵌入部２２ａとの境界部分に、一部が切り欠かれて狭幅に形成された狭幅部２３ａが備えられている。
【００３１】
一対の脚部２０のうち、他方の脚部２０ｂは、突出部１６の他端側から延び、一方の脚部２０ａと対称の形状を有している。すなわち、他方の脚部２０ｂも一方の脚部２０ａと同様に、過渡部２１ｂと嵌入部２２ｂとから構成されている。そして、過渡部２１ｂと嵌入部２２ｂとの境界部分に狭幅部２３ｂが備えられている。
【００３２】
一対の脚部２０（２０ａ，２０ｂ）は、嵌入部２２ａ，２２ｂで互いにほぼ同じ向きに延びている。また、一対の脚部２０（２０ａ，２０ｂ）は、それぞれの先端に、斜面２５ａ，２５ｂを有する爪２４ａ，２４ｂが形成されている。この斜面２５ａ，２５ｂは、互いに近づく向きに延び、基部１０の幅方向に対し互いに逆方向に斜めに向いて、互いに乗り上がったものである。そのため、一対の脚部２０がスルーホール５１の長手方向両端の内面に接触しながら押し込まれる過程で、斜面２５ａ，２５ｂどうしが接触し互いに押し合って一対の脚部２０の双方の先端に形成された爪２４ａ，２４ｂが斜面２５ａ，２５ｂに沿って斜めに進む。そして、爪２４ａ，２４ｂが、スルーホール５１を貫通し基部１０の板厚方向にスルーホール５１よりも突出してスルーホール５１の縁に引っ掛かる。
【００３３】
狭幅部２３ａ，２３ｂは、斜面２５ａ，２５ｂどうしが接触し互いに押し合って斜めに進むときの捩れを受けて塑性変形する部分であって、この塑性変形によって双方の爪２４ａ，２４ｂによる引っ掛かりが固定する。
【００３４】
本実施形態の保持部材１によれば、電気回路基板５０表面を損傷することなく、スルーホール５１に押し込まれただけでまだはんだ付けされていない状態で、スルーホール５１の縁に引っ掛かる一対の脚部２０の双方の先端に形成された爪２４ａ，２４ｂによって電気回路基板５０に保持され、一対の脚部２０がスルーホール５１から抜けてしまうことが防止される。
【００３５】
また、本実施形態の保持部材１によれば、一部が切り欠かれて狭幅に形成された狭幅部２３ａ，２３ｂが塑性変形することによって、スルーホール５１に押し込まれただけでまだはんだ付けされていない状態で、一対の脚部２０の双方の先端に形成された爪２４ａ，２４ｂがスルーホール５１の縁に確実に引っ掛かる。また、斜面２５ａ，２５ｂどうしが接触し互いに押し合って斜めに進む、一対の脚部２０がスルーホール５１の長手方向両端の内面に接触しながら押し込まれる過程で、このような狭幅部２３ａ，２３ｂを有さない場合に比してその内面が一対の脚部２０から受ける力が小さく、その内面が損傷されにくい。
【００３６】
スルーホール５１に挿入された保持部材１は、はんだフロー工程において、コネクタの端子と共に電気回路基板５０にはんだ付けされる。そして、本実施形態の保持部材１によれば、押し込まれる一対の脚部２０によってスルーホール５１内がほぼ埋められることとなるため、はんだフロー工程で溶融はんだが一対の脚部２０を伝ってスルーホール５１内に上昇し易い。また、スルーホール５１内の隙間にはんだが充填されるので、はんだ付け後の取付け強度は、従来の保持部材の取付け強度よりも高い。
【００３７】
続いて、保持部材１が電気回路基板５０にはんだにより固定された実装構造を、はんだフロー工程によりはんだ付けが行われる過程とともに説明する。
【００３８】
図６は、上述の保持部材１が、はんだによって電気回路基板５０に固定された実装構造６０を示す図であって、図５の（ｂ）に示す６−６線における断面図である。
【００３９】
また、図６は、保持部材１が電気回路基板５０にはんだによって固定された実装構造６０を示すと同時に、はんだフロー工程で、溶融はんだが電気回路基板５０と保持部材１とに付着する様子も示している。ここで、はんだフロー工程での溶融状態にあるはんだ、および固化した状態にあるはんだの双方に同一の符号６１を付して説明する。
【００４０】
はんだフロー工程では、保持部材１がスルーホール５１に押し込まれた状態で、電気回路基板５０のはんだ面５０ｂが、溶融はんだ６１に浸される。すると、スルーホール５１の内面５１ａおよびスルーホール５１近傍の実装面５０ａに形成されている銅めっき層（図示しない）と、保持部材１とが、いずれも溶融はんだ６１で濡れる。溶融はんだ６１は、一対の脚部２０（２０ａ，２０ｂ）の表面およびスルーホール５１の内面５１ａを伝って、スルーホール５１内を上昇する。上述したように、押し込まれた一対の脚部２０によってスルーホール５１内がほぼ埋められることとなるため、溶融はんだ６１は、毛細管現象によっても吸い上げられる。やがて、スルーホール５１内に吸い上げられた溶融はんだ６１は、一対の脚部２０（２０ａ，２０ｂ）の表面を伝って上昇する。
【００４１】
この結果、図６に示すように、溶融はんだ６１は、スルーホール５１を完全に埋め、さらに、スルーホール５１から電気回路基板５０の実装面５０ａ上に吸い上げられる。そして、電気回路基板５０の実装面５０ａ上には、一対の脚部２０（２０ａ，２０ｂ）と、電気回路基板５０の実装面５０ａとにまたがるはんだフィレットが形成される。
【００４２】
実装構造６０は、はんだフロー工程の後に、溶融はんだ６１が冷えて固化することにより形成される。電気回路基板５０のはんだ面５０ｂ上には、はんだ６１により、一対の脚部２０（２０ａ，２０ｂ）とはんだ面５０ｂとにまたがるはんだフィレットが形成され、さらに、実装面５０ａ上にも、一対の脚部２０（２０ａ，２０ｂ）と実装面５０ａとにまたがるはんだフィレットが形成されている。なお、図６に示す実装構造６０が、本発明の実装構造の一例に相当する。
【００４３】
本実施形態の実装構造６０によれば、電気回路基板５０と、保持部材１の一対の脚部２０（２０ａ，２０ｂ）とが、相互にはんだ付けされるため、保持部材１が、電気回路基板５０に強固に固定される。つまり、保持部材１を備えるコネクタは、はんだ付け工程を経ることによって電気回路基板５０に強固に固定される。
【００４４】
続いて、保持部材により電気回路基板に保持されるコネクタについて説明する。
【００４５】
図７および図８は、本発明の電子部品の一実施形態であるコネクタ８０を示す図である。図７はコネクタ８０を斜め後方から見た斜視図である。また、図８において、（ａ）は側面図であり、（ｂ）は正面図である。
【００４６】
コネクタ８０は、電子機器に内蔵される電気回路基板に実装され、対となる他のコネクタ（図示しない）と嵌合することにより、電気回路基板上の回路と、他の回路とを電気的に接続するものである。
【００４７】
コネクタ８０は、上述した保持部材１と、電気回路基板上の回路と接続するコンタクト８１と、保持部材１およびコンタクト８１を固定するハウジング８２とを備えている。保持部材１の基部１０が、コネクタ８０に設けられた溝８３に圧入されることで、保持部材１がコネクタ８０に取付けられる。
【００４８】
図９は、図７および図８に示すコネクタ８０が、電気回路基板５０に保持された状態を示す図である。
【００４９】
保持部材１がスルーホール５１に押し込まれることにより、コネクタ８０が、電気回路基板５０に保持される。この状態の電気回路基板５０がはんだフロー工程を経ると、保持部材１は、電気回路基板５０にはんだ付けされる。
【００５０】
本実施形態のコネクタ８０によれば、電気回路基板５０表面を損傷することなく、スルーホール５１に押し込まれただけでまだはんだ付けされていない状態で、スルーホール５１の縁に引っ掛かる一対の脚部２０の双方の先端に形成された爪２４ａ，２４ｂによって電気回路基板５０に保持される。すなわち、一対の脚部２０がスルーホール５１から抜けてしまうことが防止される。
【００５１】
尚、本実施形態では、本発明の電子部品の一例としてコネクタ８０を説明したが、本発明は、これに限るものではなく、保持部材により電気回路基板に保持される他の電子部品にも適用される。
【００５２】
また、本実施形態のコネクタ８０については、まず、コネクタ８０に保持部材１が取付けられた後に、はんだフロー工程においてはんだ付けされる例を説明したが、本発明はこれに限るものではない。例えば、まず図６に示すように、保持部材１が電気回路基板５０にはんだ付けされた後に、保持部材１がコネクタ８０に固定されることとしてもよい。
【００５３】
また、本実施形態では、はんだフロー工程によりはんだ付けされる例を説明したが、本発明は、これに限るものではない。はんだ付けは、例えば、はんだペーストをスルーホール内に予め充填することにより、はんだリフロー工程で行うことや、半田ごてによるはんだ付け（いわゆる手はんだ）工程で行うことも可能である。
【００５４】
また、本実施形態では、保持部材１は、錫めっき処理が施された真ちゅう製であるとして説明したが、本発明はこれに限るものではない。保持部材は、表面が溶融はんだによって濡れる金属製であればよく、例えば、本実施形態の保持部材のように真ちゅうなどといった銅合金製であれば、錫めっき処理を省略することができる。
【００５５】
また、本実施形態では、一対の脚部が左右対称であって、この一対の脚部の双方の先端が、スルーホールに押し込まれたときに基部の板厚方向にスルーホールよりも突出してスルーホールの縁に引っ掛かる例を挙げて説明したが、本発明にいう一対の脚部は、これに限られるものではなく、一対の脚部がスルーホールに押し込まれたときに一対の脚部のうちの一方の脚部のみ、この一方の脚部の先端が、基部の板厚方向にスルーホールよりも突出してスルーホールの縁に引っ掛かるものであってもよい。
【図面の簡単な説明】
【００５６】
【図１】本発明の保持部材についての一実施形態を示す外観斜視図である。
【図２】本発明の保持部材についての一実施形態を示す正面図および底面図である。
【図３】保持部材が電気回路基板に設けられたスルーホールに押し込まれる過程を示す正面図および底面図である。
【図４】保持部材が電気回路基板に設けられたスルーホールに押し込まれる過程を示す正面図および底面図である。
【図５】保持部材が電気回路基板に設けられたスルーホールに押し込まれる過程を示す正面図および底面図である。
【図６】はんだフロー工程により、保持部材が電気回路基板にはんだにより固定された実装構造を示す断面図である。
【図７】本発明の電子部品の一実施形態であるコネクタを示す斜視図である。
【図８】本発明の電子部品の一実施形態であるコネクタを示す側面図および正面図である。
【図９】図６および図７に示すコネクタが、電気回路基板に保持された状態を示す図である。
【符号の説明】
【００５７】
１    保持部材
１０    基部
１１    側縁
１２    突起
１３    リブ
１４    折曲部
１５    突起
１６    突出部
２０    一対の脚部
２０ａ    一方の脚部
２０ｂ    他方の脚部
２１ａ，２１ｂ    過渡部
２２ａ，２２ｂ    嵌入部
２３ａ，２３ｂ    狭幅部
２４ａ，２４ｂ    爪
２５ａ，２５ｂ    斜面
５０    電気回路基板
５０ａ    実装面
５０ｂ    はんだ面
５１    スルーホール
５１ａ    内面
６０    実装構造
６１    溶融はんだ、はんだ
８０    コネクタ
８１    コンタクト
８２    ハウジング
８３    溝
【図１】
0005202973.tif 000002
【図２】
0005202973.tif 000003
【図３】
0005202973.tif 000004
【図４】
0005202973.tif 000005
【図５】
0005202973.tif 000006
【図６】
0005202973.tif 000007
【図７】
0005202973.tif 000008
【図８】
0005202973.tif 000009
【図９】
0005202973.tif 000010